(57)【要約】【課題】データ収集の対象となる空調機の機種により異なる制御プログラムを自動的に吸収して用いる保守用データ収集システムが求められている。【解決手段】保守用データ収集システムは、空調機２の保持する保守用データ情報を収集する保守用データ情報モニタ手段１１と、収集した保守用データ情報を保持する保守用データ情報保持手段１２と、保持した保守用データ情報に基づいて実データに係る保守用データを収集する保守用データモニタ手段１３とを有する保守用データ収集装置１、および、保持している保守用データ情報を保守用データ情報モニタ手段１１からの収集コマンドに応じて保守用データ収集装置１へ応答する保守用データ情報応答手段２１と、保持している保守用データを保守用データモニタ手段１３からの収集コマンドに応じて応答する保守用データ応答手段２２とを有する空調機２を備えたものである。【選択図】      図１
2004294015.tif 000002
【特許請求の範囲】
【請求項１】
空調機の保持する各種データの中から保守用に使用するデータの項目やデータ長などを示す保守用データ情報を収集する保守用データ情報モニタ手段と、前記保守用データ情報モニタ手段により収集された保守用データ情報を保持する保守用データ情報保持手段と、前記保守用データ情報保持手段に保持されている保守用データ情報に基づいて実データに係る保守用データを収集する保守用データモニタ手段とを有する保守用データ収集装置、および、
保持している保守用データ情報を前記保守用データ収集装置の保守用データ情報モニタ手段からの収集コマンドに応じて前記保守用データ収集装置へ応答する保守用データ情報応答手段と、保持している保守用データを前記保守用データ収集装置の保守用データモニタ手段からの収集コマンドに応じて前記保守用データ収集装置へ応答する保守用データ応答手段とを有する空調機、
を備えたことを特徴とする空調機の保守用データ収集システム。
【請求項２】
空調機の保持する各種データの中から保守用に使用するデータの項目やデータ長などを示す保守用データ情報の標準的パターンを示す保守用標準データ情報を保持する保守用標準データ情報保持手段と、対象となる空調機の種別毎に発生する保守用データ情報と前記保守用データ情報の標準的パターンとの差異を示す保守用差分データ情報を収集する保守用差分データ情報モニタ手段と、前記保守用標準データ情報保持手段に保持されている保守用標準データ情報と収集した保守用差分データ情報とから対象となる空調機の保守用データ情報を作成する保守用データ情報作成手段と、前記保守用データ情報作成手段により作成された保守用データ情報を保持する保守用データ情報保持手段と、前記保守用データ情報保持手段に保持されている保守用データ情報に基づいて実データに係る保守用データを収集する保守用データモニタ手段とを有する保守用データ収集装置、および、
保持している保守用データ情報と前記標準的パターンとの差異を示す保守用差分データ情報を前記保守用データ収集装置の保守用差分データ情報モニタ手段からの収集コマンドに応じて前記保守用データ収集装置へ応答する保守用標準データ差分情報応答手段と、保持している保守用データを前記保守用データ収集装置の保守用データモニタ手段からの収集コマンドに応じて前記保守用データ収集装置へ応答する保守用データ応答手段とを有する空調機、
を備えたことを特徴とする空調機の保守用データ収集システム。
【請求項３】
空調機の保持する各種データの中から保守用に使用するデータの項目やデータ長などを示す保守用データ情報のうち空調機の種別により大別される複数の代表的パターンを示す保守用代表データ情報を保持する保守用代表データ情報保持手段と、対象となる空調機の種別毎に発生する保守用データ情報と前記保守用データ情報の代表的パターンとの差異を示す保守用代表データ差分情報を収集する保守用代表データ差分情報モニタ手段と、保守用代表データ情報保持手段に保持されている保守用代表データ情報と収集した保守用代表データ差分情報とから対象となる空調機の保守用データ情報を作成する保守用データ情報作成手段と、前記保守用データ情報作成手段により作成された保守用データ情報を保持する保守用データ情報保持手段と、前記保守用データ情報保持手段に保持された保守用データ情報に基づいて実データに係る保守用データを収集する保守用データモニタ手段とを有する保守用データ収集装置、および、
保持している保守用データ情報が適合する保守用データ情報の代表的パターンを前記保守用データ収集装置の保守用代表データ差分情報モニタ手段からの収集コマンドに応じて前記保守用データ収集装置へ応答する保守用データ代表情報応答手段と、保持している保守用データ情報と前記代表的パターンとの差異を示す保守用代表データ差分情報を前記保守用データ収集装置の保守用代表データ差分情報モニタ手段からの収集コマンドに応じて前記保守用データ収集装置へ応答する保守用代表データ差分情報応答手段と、保持している保守用データを前記保守用データ収集装置の保守用データモニタ手段からの収集コマンドに応じて前記保守用データ収集装置へ応答する保守用データ応答手段とを有する空調機、
を備えたことを特徴とする空調機の保守用データ収集システム。
【発明の詳細な説明】
【０００１】
【発明の属する技術分野】
この発明は、空調機の機種毎に異なる各種の保守用データを収集する保守用データ収集システムに関する。
【０００２】
【従来の技術】
従来の保守用データ収集システムにおいては、空調機の機種により異なる保守用データを収集するための制御プログラムの差異を、データ収集装置に搭載されるＩＣカードで吸収するようなシステム構成にしたものが知られている（例えば、特許文献１参照）。
【０００３】
【特許文献１】
特開平８−１６３６６３号公報（請求項７，８、図３）
【０００４】
【発明が解決しようとする課題】
ところで、従来の保守用データ収集システムにおいては、データ収集装置に接続されるＩＣカードに、空調機の機種により異なる制御プログラムが実装されていることが多い。そのため、複数のデータ収集のための制御プログラムが必要であるとともに、データ収集の対象となる空調機に合わせたＩＣカードをデータ収集装置に接続しなければならないという問題があった。さらに、データ収集の対象となる空調機の機種が変更された場合、データ収集装置のＩＣカードを交換しなければならないという問題もあった。
【０００５】
この発明は、上述のような従来の問題点を解決するためになされたもので、データ収集の対象となる空調機の機種により異なる制御プログラムを自動的に吸収して用いることを目的とする。
【０００６】
【課題を解決するための手段】
上記目的を達成するために、この発明に係る保守用データ収集システムは、空調機の保持する各種データの中から保守用に使用するデータの項目やデータ長などを示す保守用データ情報を収集する保守用データ情報モニタ手段と、保守用データ情報モニタ手段により収集された保守用データ情報を保持する保守用データ情報保持手段と、保守用データ情報保持手段に保持されている保守用データ情報に基づいて実データに係る保守用データを収集する保守用データモニタ手段とを有する保守用データ収集装置、および、保持している保守用データ情報を保守用データ収集装置の保守用データ情報モニタ手段からの収集コマンドに応じて保守用データ収集装置へ応答する保守用データ情報応答手段と、保持している保守用データを保守用データ収集装置の保守用データモニタ手段からの収集コマンドに応じて保守用データ収集装置へ応答する保守用データ応答手段とを有する空調機、
を備えたものである。
【０００７】
また、空調機の保持する各種データの中から保守用に使用するデータの項目やデータ長などを示す保守用データ情報の標準的パターンを示す保守用標準データ情報を保持する保守用標準データ情報保持手段と、対象となる空調機の種別毎に発生する保守用データ情報と保守用データ情報の標準的パターンとの差異を示す保守用差分データ情報を収集する保守用差分データ情報モニタ手段と、保守用標準データ情報保持手段に保持されている保守用標準データ情報と収集した保守用差分データ情報とから対象となる空調機の保守用データ情報を作成する保守用データ情報作成手段と、保守用データ情報作成手段により作成された保守用データ情報を保持する保守用データ情報保持手段と、保守用データ情報保持手段に保持されている保守用データ情報に基づいて実データに係る保守用データを収集する保守用データモニタ手段とを有する保守用データ収集装置、および、保持している保守用データ情報と標準的パターンとの差異を示す保守用差分データ情報を保守用データ収集装置の保守用差分データ情報モニタ手段からの収集コマンドに応じて保守用データ収集装置へ応答する保守用標準データ差分情報応答手段と、保持している保守用データを保守用データ収集装置の保守用データモニタ手段からの収集コマンドに応じて保守用データ収集装置へ応答する保守用データ応答手段とを有する空調機、を備えたものである。
【０００８】
そして、空調機の保持する各種データの中から保守用に使用するデータの項目やデータ長などを示す保守用データ情報のうち空調機の種別により大別される複数の代表的パターンを示す保守用代表データ情報を保持する保守用代表データ情報保持手段と、対象となる空調機の種別毎に発生する保守用データ情報と保守用データ情報の代表的パターンとの差異を示す保守用代表データ差分情報を収集する保守用代表データ差分情報モニタ手段と、保守用代表データ情報保持手段に保持されている保守用代表データ情報と収集した保守用代表データ差分情報とから対象となる空調機の保守用データ情報を作成する保守用データ情報作成手段と、保守用データ情報作成手段により作成された保守用データ情報を保持する保守用データ情報保持手段と、保守用データ情報保持手段に保持された保守用データ情報に基づいて実データに係る保守用データを収集する保守用データモニタ手段とを有する保守用データ収集装置、および、保持している保守用データ情報が適合する保守用データ情報の代表的パターンを保守用データ収集装置の保守用代表データ差分情報モニタ手段からの収集コマンドに応じて保守用データ収集装置へ応答する保守用データ代表情報応答手段と、保持している保守用データ情報と代表的パターンとの差異を示す保守用代表データ差分情報を保守用データ収集装置の保守用代表データ差分情報モニタ手段からの収集コマンドに応じて保守用データ収集装置へ応答する保守用代表データ差分情報応答手段と、保持している保守用データを保守用データ収集装置の保守用データモニタ手段からの収集コマンドに応じて保守用データ収集装置へ応答する保守用データ応答手段とを有する空調機、
を備えたものである。
【０００９】
【発明の実施の形態】
実施の形態１．
図１はこの発明の実施の形態１における保守用データ収集システムを示すものである。図１において、この保守用データ収集システムは、冷媒回路（図示省略）を保有して空気調和を行う空調機２と、空調機２に係る保守用データを収集する保守用データ収集装置１を備えて構成されている。これらの保守用データ収集装置１と空調機２とは伝送路３を介して通信接続されている。
保守用データ収集装置１は、空調機２の保持する各種データの中から保守用に使用するデータの項目やデータ長などを示す保守用データ情報を収集する保守用データ情報モニタ処理部（保守用データ情報モニタ手段）１１と、保守用データ情報モニタ処理部１１により空調機２から収集された保守用データ情報を保持する保守用データ情報保持部（保守用データ情報保持手段）１２と、保持された保守用データ情報に基づいて空調機２の実データに係る保守用データを収集する保守用データモニタ処理部（保守用データモニタ手段）１３とを備えている。
【００１０】
また、空調機２は、保持している保守用データ情報を保守用データ収集装置１からの収集コマンドに応じて応答する保守用データ情報応答処理部（保守用データ情報応答手段）２１と、保持している保守用データを保守用データモニタ処理部１３からの収集コマンドに応じて応答する保守用データ応答処理部（保守用データ応答手段）２２とを備えている。
【００１１】
前記のように構成された保守用データ収集システムは、図２に示すような通信プロトコルにより、空調機２の保持する保守用データを収集するための制御プログラムを自動的に作成し、保守用データの収集を実行するようになっている。保守用データの例として、各種のデータ名称とその単位を下記の表１に示す。
【００１２】
【表１】
2004294015.tif 000003
【００１３】
そこで、まず保守用データ収集装置１は、保守用データ情報モニタ処理部１１により、データ収集の対象となる空調機２に対して保守用データ情報モニタ（収集コマンド１００）を送信する。保守用データ情報モニタの内容を、例えば下記の表２に示す。
【００１４】
【表２】
2004294015.tif 000004
【００１５】
受信した空調機２は保守用データ情報応答処理部２１により保守用データ情報応答１〜ｎ（応答コマンド１０１〜１０ｎ）を保守用データ収集装置１へ応答する。そして、保守用データ収集装置１はこれらの収集コマンド１０１〜１０ｎを保守用データ情報保持部１２に保持する。保守用データ情報応答１〜ｎコマンドの内容は、例えば下記の表３に示すように、保守用データの項目名称を示すデータ名称１〜ｎデータと、保守用データを収集するための通信コマンドを示すモニタコマンド１〜ｎデータとで構成されている。
【００１６】
【表３】
2004294015.tif 000005
【００１７】
続いて、保守用データ収集装置１の保守用データモニタ処理部１３は、保持した保守用データ情報応答１〜ｎから保守用データモニタ１〜ｎ（収集コマンド１１０〜１ｎ０）を作成し、空調機２へ送信する。前記のように作成された保守用データモニタ１〜ｎ（収集コマンド１１０〜１ｎ０）の内容は、例えば下記の表４に示した如くである。
【００１８】
【表４】
2004294015.tif 000006
【００１９】
次に、空調機２の保守用データ応答処理部２２は、例えば下記の表５に示すようなモニタコマンド１〜ｎと実データ１〜ｎで構成された保守用データ応答１〜ｎ（応答コマンド１１１〜１ｎ１）から空調機２の保守用データ（実データ）を収集し、保守用データ収集装置１へ応答する。
【００２０】
【表５】
2004294015.tif 000007
【００２１】
このように、本実施形態に係る保守用データ収集システムによれば、保守用データ収集の対象となる空調機２が保持している保守用データ情報を、その空調機２からモニタすることができる。また、自動的に保守用データの収集プログラムを作成するので、データ収集対象の空調機２により差異のある保守用データであっても確実に収集できるのである。
【００２２】
実施の形態２．
図３はこの発明の実施の形態２における保守用データ収集システムを示すものである。図３に示した保守用データ収集システムにおいて、保守用データ収集装置１と空調機２とは伝送路３を介して通信接続されている。
保守用データ収集装置１は、空調機２における保守用データ情報の標準的パターンを示す保守用標準データ情報を保持する保守用標準データ情報保持部（保守用標準データ情報保持手段）１４と、データ収集対象となる空調機２の種別毎に発生する保守用データ情報との差分を示す保守用差分データ情報を収集する保守用差分データ情報モニタ処理部（保守用差分データ情報モニタ手段）１５と、保守用標準データ情報保持部１４に保持されている保守用標準データ情報と空調機２から収集した保守用差分データ情報とからデータ収集対象となる空調機の保守用データ情報を作成し保持する保守用データ情報保持部（保守用データ情報作成手段および保守用データ情報保持手段）１２と、保守用データ情報保持部１２に保持されている保守用データ情報に基づいて空調機２の実データに係る保守用データを収集する保守用データモニタ処理部（保守用データモニタ手段）１３とを備えている。
【００２３】
また、空調機２は、自己の保持している保守用データ情報と標準的パターンとの差異を示す保守用差分データ情報を保守用データ収集装置１の保守用差分データ情報モニタ処理部１５からの収集コマンドに応じて保守用データ収集装置１へ応答する保守用差分データ情報応答処理部（保守用標準データ差分情報応答手段）２３と、自己の保持している保守用データを保守用データ収集装置１の保守用データモニタ処理部１３からの収集コマンドに応じて保守用データ収集装置１へ応答する保守用データ応答処理部（保守用データ応答手段）２２とを備えている。
【００２４】
上記のように構成された保守用データ収集システムは、図４に示すような通信プロトコルにより、空調機２の保持する保守用データを収集するための制御プログラムを自動的に作成し、保守用データの収集を実行するようになっている。
まず、保守用データ収集装置１は、保守用差分データ情報モニタ処理部１５により、データ収集の対象となる空調機２に対して保守用差分データ情報モニタ（収集コマンド２００）を送信する。保守用差分データ情報モニタの内容（空調機２の機種がａ，ｂの２例）は、例えば下記の表６に示してある。
【００２５】
【表６】
2004294015.tif 000008
【００２６】
受信した空調機２は保守用差分データ情報応答処理部２３により応答される保守用差分データ情報応答１〜ｎ（応答コマンド２０１〜２０ｎ）を保守用データ収集装置１へ応答する。そして、保守用データ収集装置１はこれらの収集コマンド２０１〜２０ｎを保守用データ情報保持部１２に保持する。収集コマンド２０１〜２０ｎの内容は、例えば下記の表７に示すように、保守用データの項目名称を示すデータ名称１〜ｎデータと、保守用データを収集するための通信コマンドに加え、標準的な保守用データとの過不足を示す項目の追加／削除データで構成されている。
【００２７】
【表７】
2004294015.tif 000009
【００２８】
次に、前記の保守用差分データ情報応答１〜ｎと保守用標準データ情報保持部１４に保持されている標準的な保守用データ情報とから、保守用データ情報保持部１２がデータ収集対象となる空調機２の保守用データ情報を作成し保持する。前記した標準的な保守用データ情報の内容は、例えば下記の表７に示してある。
【００２９】
この例において、空調機２が機種ａである場合、保守用データ情報保持部１２には表７に示した標準的な保守用データ情報のデータ項目と表６に示した機種ａのデータ項目とを比較し、標準的なデータ項目に機種ａのデータ項目が存在すれば、データの重用を防ぐため機種ａ側の項目を「削除」とする。一方、機種ａのデータ項目には存在するが標準的なデータ項目にない項目は「追加」とする。このようにして、データ収集対象となる空調機２の保守データ情報を作成する。作成された保守データ情報は保守用データ情報保持部１２に保持される。引き続き、保守用データ応答処理部２２は、保守用データ情報保持部１２に保持されている保守データ情報に係る保守用データ（実データ、表５参照）を保守用データ収集装置１へ応答するのである。
【００３０】
このように、本実施形態に係る保守用データ収集システムによれば、保守用データを収集する保守用データ収集装置１とその対象となる空調機２に共通の保守用標準データ情報を保持し、その保守用標準データ情報と空調機２が保持する保守用データとの差分をモニタすることができる。しかも、自動的に保守用データの収集プログラムを作成するので、データ収集対象の空調機２によって差異のある保守用データでも収集できる。
【００３１】
実施の形態３．
図５はこの発明の実施の形態３における保守用データ収集システムを示すものである。図５に示した保守用データ収集システムにおいて、保守用データ収集装置１と空調機２とは伝送路３を介して通信接続されている。
保守用データ収集装置１は、空調機２の種別により大別される複数の代表的パターンを示す保守用代表データ情報を保持する保守用代表データ情報保持部（保守用代表データ情報保持手段）１６と、収集対象となる空調機２の代表的な保守用データ情報を収集する適合保守用代表データ情報モニタ処理部（保守用代表データ差分情報モニタ手段）１７と、適合保守用代表データ情報モニタ処理部１７により収集された代表的な保守用データ情報と空調機２の種別毎に発生する保守用データ情報との差異を示す保守用代表データ差分情報を収集する保守用差分データ情報モニタ処理部（保守用差分データ情報モニタ手段）１５と、保守用代表データ情報保持部１６に保持されている保守用代表データ情報と収集した保守用代表データ差分情報とから対象になる空調機２の保守用データ情報を作成し保持する保守用データ情報保持部（保守用データ情報作成手段および保守用データ情報保持手段）１２と、保守用データ情報保持部１２に保持された保守用データ情報に基づいて実データに係る保守用データを収集する保守用データモニタ処理部（保守用データモニタ手段）１３とを備えている。
【００３２】
また、空調機２は、自己が保持している保守用データ情報が適合する保守用データ情報の代表的パターンを保守用データ収集装置１の保守用代表データ差分情報モニタ処理部１７からの収集コマンドに応じて保守用データ収集装置１へ応答する適合保守用代表データ情報応答処理部（保守用データ代表情報応答手段）２４と、自己が保持している保守用データ情報と代表的パターンとの差異を示す保守用代表データ差分情報を保守用データ収集装置１の適合保守用代表データ差分情報モニタ処理部１７からの収集コマンドに応じて保守用データ収集装置１へ応答する保守用差分データ情報応答処理部（保守用代表データ差分情報応答手段）２３と、自己が保持している保守用データを保守用データ収集装置１の保守用データモニタ処理部１３からの収集コマンドに応じて保守用データ収集装置１へ応答する保守用データ応答処理部（保守用データ応答手段）２２とを備えている。
【００３３】
このように構成された保守用データ収集システムは、図６に示すような通信プロトコルにより、空調機２の保持する保守用データを収集するための制御プログラムを自動的に作成し、保守用データの収集を実行するようになっている。
まず、データ収集装置１は、保守用代表データ情報モニタ処理部１７より、データ収集対象となる空調機２に対して適合保守用代表データ情報モニタ（収集コマンド３００）を送信する。適合保守用代表データ情報モニタの内容（属性イとロの２例）を、例えば下記の表８に示す。
【００３４】
【表８】
2004294015.tif 000010
【００３５】
受信した空調機２は適合保守用代表データ情報応答処理部２４により適合保守用代表データ情報応答（応答コマンド３０１）を保守用データ収集装置１へ応答する。そして、保守用データ収集装置１は保守用データ情報保持部１２により応答コマンド３０１を保持する。
次に、保守用データ収集装置１は保守用差分データ情報モニタ処理部１５により適合保守用代表データ情報応答（応答コマンド３０１）から保守用代表データ情報保持部１６に保持する複数の代表的な保守用データ情報のうちから該当する保守用代表データ情報を抽出する。続いて、保守用データ情報保持部１２は、抽出した保守用代表データ情報と空調機２の保守用差分データ情報応答処理部２３により応答される保守用差分データ情報応答１〜ｎ（応答コマンド２０１〜２０ｎ）とから、データ収集対象の空調機２の保守用データ情報を作成する。
【００３６】
例えば、下記の表９に示すように、空調機２が機種ａで適合保守用代表データ情報応答が属性イである場合は、データ名称を「ＬＥＶ（絞り弁）開度」、保守用データモニタを「保守用データモニタＪ」、追加／削除を「追加」とする、保守用差分データ情報応答ｎが作成される。一方、空調機２が機種ｂで適合保守用代表データ情報応答が属性ロの場合、全ての項を「なし」とする、保守用差分データ情報応答ｎが作成される。
【００３７】
【表９】
2004294015.tif 000011
【００３８】
そうして、保守用データ情報保持部１２は作成した保守用差分データ情報応答に係る保守用データ情報を保持する。引き続き、保守用データ応答処理部２２は、保守用データ情報保持部１２に保持されている保守データ情報に係る保守用データ（実データ、表５参照）を保守用データ収集装置１へ応答する。
【００３９】
このように、本実施形態に係る保守用データ収集システムによれば、空調機２の種類により大別される代表的な保守用代表データ情報を複数保持し、データ収集の対象となる空調機２に適合する保守用代表データ情報と空調機２が保持する保守用データとの差分をモニタすることができる。加えて、自動的に保守用データの収集プログラムを作成するので、データ収集対象の空調機２によって差異のある保守用データであっても収集できる。
【００４０】
【発明の効果】
この発明は以上説明したように、保守用データ収集の対象となる空調機が保持している保守用データ情報をその空調機からモニタすること、あるいは保守用データを収集する保守用データ収集装置とその対象となる空調機に共通の保守用標準データ情報を保持し、その保守用標準データ情報と空調機が保持する保守用データとの差分をモニタすること、または空調機の種類により大別される代表的な保守用代表データ情報を複数保持し、データ収集の対象となる空調機に適合する保守用代表データ情報と空調機が保持する保守用データとの差分をモニタすることができる。更には、自動的に保守用データの収集プログラムを作成することにより、データ収集対象の空調機によって差異のある保守用データの収集が可能となる。
【図面の簡単な説明】
【図１】この発明の実施の形態１を示す保守用データ収集システムの構成図である。
【図２】この発明の実施の形態１を示す保守用データ収集システムの通信シーケンス及びコマンド構成図である。
【図３】この発明の実施の形態２を示す保守用データ収集システムの構成図である。
【図４】この発明の実施の形態２を示す保守用データ収集システムの通信シーケンス及びコマンド構成図である。
【図５】この発明の実施の形態３を示す保守用データ収集システムの構成図である。
【図６】この発明の実施の形態３を示す保守用データ収集システムの通信シーケンス及びコマンド構成図である。
【符号の説明】
１  保守用データ収集装置、２  空調機、３  伝送路、１１  保守用データ情報モニタ処理部、１２  保守用データ情報保持部、１３  保守用データモニタ処理部、１４  保守用標準データ情報保持部、１５  保守用差分データ情報モニタ処理部、１６  保守用代表データ情報保持部、１７  適合保守用データ情報モニタ処理部、２１  保守用データ情報応答処理部、２２  保守用データ応答処理部、２３  保守用差分データ情報応答処理部、２４  適合保守用代表データ情報応答処理部。
【図１】
2004294015.tif 000012
【図２】
2004294015.tif 000013
【図３】
2004294015.tif 000014
【図４】
2004294015.tif 000015
【図５】
2004294015.tif 000016
【図６】
2004294015.tif 000017